(57)【要約】【課題】狭い空間に光信号の送受信回路を配置しても、リモコンに対する受光ユニットの感度が下がることがない光信号の送受信回路を提供する。  【解決手段】リモコン１１からの第１の光信号を受ける受光ユニット１２と、外部に第２の光信号を送る発光ダイオード１３とを備える光信号の送受信回路１０において、発光ダイオード１３の動作時には、受光ユニット１２の回路の電源をオフにし、発光ダイオード１３の非動作時には、受光ユニット１２の回路の電源をオンにする。ここで、光信号の送受信回路１０は、浴室乾燥機本体３０に取付けられ、第２の光信号の受光部は浴室に配置されたミストユニット１８に設けられている。【選択図】図１
2009268686.tif 000002
【特許請求の範囲】
【請求項１】
リモコンからの第１の光信号を受ける受光ユニットと、外部に第２の光信号を送る発光ダイオードとを備える光信号の送受信回路において、
前記発光ダイオードの動作時には、前記受光ユニットの回路の電源をオフにし、前記発光ダイオードの非動作時には、前記受光ユニットの回路の電源をオンにすることを特徴とする光信号の送受信回路。
【請求項２】
請求項１記載の光信号の送受信回路において、前記第１、第２の光信号は赤外線信号であることを特徴とする光信号の送受信回路。
【請求項３】
請求項１及び２のいずれか１項に記載の光信号の送受信回路において、該光信号の送受信回路は、浴室乾燥機本体に取付けられ、前記第２の光信号の受光部は浴室に配置されたミストユニットに設けられていることを特徴とする光信号の送受信回路。
【発明の詳細な説明】
【技術分野】
【０００１】
本発明は、例えば、浴室乾燥装置の制御部( 本体) に使用され、リモコンからの光信号を受けると共に、他の機器に対して別の光信号を送信する光信号の送受信回路に関する。
【背景技術】
【０００２】
例えば、特許文献１〜３に記載のように、リモコンで操作する浴室乾燥機が知られており、更に、この浴室乾燥機にサウナ装置を付設して、このサウナ装置を浴室乾燥機から光信号により制御することも行われている。
このような目的の光信号の送受信回路６０の一例を図３に示す。図３に示すように、この光信号の送受信回路６０は、端子部６１と、端子部６１の電源端子（１）、信号端子（２、３、５）にそれぞれ接続される発光ダイオードからなる表示灯６２〜６４、及び端子部６１の信号端子（４）に接続されてサウナ装置（図示せず）に向けて光信号を発する赤外線発光ダイオード６５と、端子部６１の電源端子（１）及びコモン端子（７）に接続されて出力端子（６）に出力を発する受光ユニット６６とを有している。
【０００３】
この光信号の送受信回路６０においては、端子部６１の信号端子（４）に信号出力を与えて、赤外線発光ダイオード６５が作動し、サウナ装置に向けて光信号を発する。受光ユニット６６は、抵抗６７とコンデンサ６８からなるノイズ除去回路を介して５Ｖの電源が供給され、内部に備える受光センサ（光ダイオード又は光トランジスタ）が光信号を受けた場合は、端子部６１の出力端子（６）に電気信号が出力され、受光ユニット６６は赤外線発光ダイドード６５の動作とは独立して作動する。なお、６９はノイズ除去用のコンデンサである。
【０００４】
【特許文献１】特開２００１−１９８１７９号公報
【特許文献２】特開２００４−１５６８８９号公報
【特許文献３】特開２００５−１５２０９７号公報
【発明の開示】
【発明が解決しようとする課題】
【０００５】
しかしながら、従来の光信号の送受信回路６０においては、赤外線発光ダイオード６５から発する光の一部が受光ユニット６６に入光する。受光ユニット６６に赤外線発光ダイオード６５からの光が入光すると、受光ユニット６６の受光センサの信号弁別性が悪くなり、リモコンからの信号感度が下がり、強い光信号でないと検知しなくなるという問題が発生した。勿論、赤外線発光ダイオード６５と受光センサの取付け位置を考慮すれば、理論的には感度低下を解消することは可能であるが、光信号の送受信回路６０の取付け場所は一定ではなく、周囲に壁等の反射体がある場合もあるので、適切な対処方法ではなかった。
【０００６】
本発明はかかる事情に鑑みてなされたもので、狭い空間に光信号の送受信回路を配置しても、リモコンに対する受光ユニットの感度が下がることがない光信号の送受信回路を提供することを目的とする。
【課題を解決するための手段】
【０００７】
前記目的に沿う第１の発明に係る光信号の送受信回路は、リモコンからの第１の光信号を受ける受光ユニットと、外部に第２の光信号を送る発光ダイオードとを備える光信号の送受信回路において、前記発光ダイオードの動作時には、前記受光ユニットの回路の電源をオフにし、前記発光ダイオードの非動作時には、前記受光ユニットの回路の電源をオンにする。
ここで、発光ダイオードの動作時とは、発光ダイオードが信号を送るためにオンオフしている期間をいう。なお、発光ダイオードの動作が完了し、発光ダイオードが非作動となって一定の短い時間をおいて受光ユニットをオンにする場合も本発明（発光ダイオードの動作時）に含まれる。また、受光ユニットの回路の電源をオフにするとは、電源回路を遮断する場合の他、受光ユニットの供給電源の電圧を下げて、受光ユニットが動作しなくなるようにする場合も含む。
【０００８】
第２の発明に係る光信号の送受信回路は、第１の発明に係る光信号の送受信回路において、前記第１、第２の光信号は赤外線信号である。この場合、第１、第２の光信号は同一周波数の搬送波を含む光信号でもよいし、異なる周波数の搬送波を含む光信号であってもよい。
【０００９】
そして、第３の発明に係る光信号の送受信回路は、第１、第２の発明に係る光信号の送受信回路において、該光信号の送受信回路が、浴室乾燥機本体に取付けられ、前記第２の光信号の受光部は浴室に配置されたミストユニットに設けられている。
【発明の効果】
【００１０】
請求項１〜３記載の光信号の送受信回路においては、外部に第２の光信号を送る発光ダイオードの動作時には、受光ユニットの回路の電源をオフにし、発光ダイオードの非動作時には、受光ユニットの回路の電源をオンにしているので、受光ユニットの感度がアップし、リモコンからの受信信号を受けつけ易くなる。
【発明を実施するための最良の形態】
【００１１】
続いて、添付した図面を参照しつつ、本発明を具体化した実施の形態につき説明し、本発明の理解に供する。
ここで、図１は本発明の一実施の形態に係る光信号の送受信回路の結線図、図２は同光信号の送受信回路の説明図である。
【００１２】
図１に示すように、本発明の一実施の形態に係る光信号の送受信回路１０は、リモコン１１からの第１の光信号の一例である赤外線信号Ａを受ける受光ユニット１２と、外部に第２の光信号の一例である赤外線信号Ｂ（図２参照）を送る赤外線発光ダイオード１３と、これらへの電気信号の授受を行う端子部１４とを有する。以下、これらについて詳しく説明する。
【００１３】
この光信号の送受信回路１０においては、従来例と同じく、端子部１４の信号端子（２、３、５）には発光ダイオードからなる表示灯１５〜１７が接続され，端子部１４の信号端子（４）は、浴室に設けられたミストユニット１８（図２参照）に向けて光信号を発する赤外線発光ダイオード１３が接続されている。これらの表示灯１５〜１７及び赤外線発光ダイオード１３のアノード端子には端子部１４の端子（１）を経由して電源（＋５Ｖ）が供給されている。
【００１４】
そして、赤外線発光ダイオード１３に光信号（電気信号）を送る端子部１４の信号端子（４）には、信号反転するインバータ回路１９、２０を介して受光ユニット１２が接続されている。インバータ回路１９にはコンデンサ２１と抵抗２２が、インバータ回路２０にはコンデンサ２３と抵抗２４が接続されて、赤外線発光ダイオード１３の入力信号の平滑化を行い、更にノイズ防止を図っている。また、インバータ回路２０の電源回路には抵抗２５とコンデンサ２６からなる平滑回路が設けられてノイズ除去を図っている。
【００１５】
受光ユニット１２は内部に受光センサ（受光ダイオード、光トランジスタ）を有し、リモコン１１からの信号をそのまま又は変調して電気信号に変換し、端子部１４の信号端子（６）より外部に出力している。なお、２７はノイズ除去用のコンデンサを示す。
この受光ユニット１２は、回路の電源スイッチが入った瞬間が一番感度が高く、太陽光線、赤外線信号やその他の外乱があると徐々に感度が落ちてくるという性質がある。また、赤外線発光ダイオード１３からの発信信号は常時発しているわけではなく、数ミリｓｅｃのインターバルで発信・休信を繰り返している。したがって、受光ユニット１２も赤外線発光ダイオード１３のオンオフに伴い、電源のオンオフを繰り返していることになる。
【００１６】
この光信号の送受信回路１０の動作について説明する。図２に示すように、この実施の形態においては、光信号の送受信回路１０は浴室乾燥機本体（浴乾本体）３０に取付けられ、リモコン１１から赤外線信号Ａを受けて、受光ユニット１２が反応し、浴室乾燥機本体３０からの信号に基づいて、赤外線発光ダイオード１３に電気信号を送り、この赤外線発光ダイオード１３からミストユニット１８の受光部（図示せず）に赤外線信号Ｂを送っている。
【００１７】
ここで、赤外線発光ダイオード１３が作動中には、受光ユニット１２の電源をゼロ（又はゼロ近傍）にし、赤外線発光ダイオード１３が非動作時には受光ユニット１２の電源をオンにしているので、受光感度がアップし、リモコン１１からの信号を受けつけ易くなり、仮に、赤外線発光ダイオード１３と受光ユニット１２に同一変調周波数の信号や同一種類の赤外線信号を使用しても、相互に干渉することもない。
【００１８】
前記実施の形態においては、浴室乾燥機（本体）に本発明の光信号の送受信回路を適用した例を示したが、光信号（赤外線、及び可視光線を含む）の送信と受信を行うその他の機器に使用する場合も本発明は適用される。
また、赤外線発光ダイオード１３の作動中は、リモコン１１が使用できないことになるので、その表示灯を別途設けることもできる。
【図面の簡単な説明】
【００１９】
【図１】本発明の一実施の形態に係る光信号の送受信回路の結線図である。
【図２】同光信号の送受信回路の説明図である。
【図３】従来例に係る光信号の送受信回路の結線図である。
【符号の説明】
【００２０】
１０：光信号の送受信回路、１１：リモコン、１２：受光ユニット、１３：赤外線発光ダイオード、１４：端子部、１５〜１７：表示灯、１８：ミストユニット、１９、２０：インバータ回路、２１：コンデンサ、２２：抵抗、２３：コンデンサ、２４：抵抗、２５：抵抗、２６：コンデンサ、２７：コンデンサ、３０：浴室乾燥機本体
【図１】
2009268686.tif 000003
【図２】
2009268686.tif 000004
【図３】
2009268686.tif 000005